(57)【特許請求の範囲】
【請求項１】
画像を投写するプロジェクターであって、
他のプロジェクターの投写画像の一部であり、前記他のプロジェクターの駆動条件を示す情報を含む情報伝達画像を撮像する撮像手段と、
前記情報伝達画像に含まれる前記駆動条件を示す情報に基づいて、当該プロジェクターの駆動条件を変更する制御手段と、を備え、
前記駆動条件は、前記他のプロジェクターが投写する投写画像の色合い、コントラスト、明るさ、または、画像処理方法のうちの少なくともひとつであり、
前記情報伝達画像は、赤外光を用いて形成されていることを特徴とするプロジェクター。
【請求項２】
画像を投写するプロジェクターであって、
他のプロジェクターの投写画像の一部であり、前記他のプロジェクターの運転モードを示す情報を含む情報伝達画像を撮像する撮像手段と、
前記情報伝達画像に含まれる前記運転モードを示す情報に基づいて、当該プロジェクターの運転モードを変更する制御手段と、を備え、
前記運転モードは、目的とする画質の画像表示となるように、前記他のプロジェクターが備える光学ユニットの駆動条件または画像データに対する補正条件を設定した複数のモードのうちの少なくともひとつであり、
前記情報伝達画像は、赤外光を用いて形成されていることを特徴とするプロジェクター。
【請求項３】
前記制御手段は、当該プロジェクターの駆動条件を前記他のプロジェクターの駆動条件に近づけるように制御することを特徴とする請求項１に記載のプロジェクター。
【請求項４】
前記他のプロジェクターの情報伝達画像と重ならない位置に、自身の駆動条件を含む情報伝達画像を表示可能であることを特徴とする請求項１または２に記載のプロジェクター。
【請求項５】
前記制御手段は、当該プロジェクターの運転モードを前記他のプロジェクターの運転モードに近づけるように制御することを特徴とする請求項２に記載のプロジェクター。
【請求項６】
前記他のプロジェクターの情報伝達画像と重ならない位置に、自身の運転モードを示す情報を含む情報伝達画像を表示可能であることを特徴とする請求項２または５に記載のプロジェクター。
【請求項７】
互いに隣り合った領域に画像表示を行う一対のプロジェクターを備え、
一方のプロジェクターは、自身の駆動条件を示す情報を含む情報伝達画像を表示し、
前記駆動条件は、他方のプロジェクターが投写する投写画像の色合い、コントラスト、明るさ、または、画像処理方法のうちの少なくともひとつであり、
前記情報伝達画像は、赤外光を用いて形成されており、
前記他方のプロジェクターは、前記情報伝達画像を撮像可能な撮像手段を有すると共に、撮像した前記情報伝達画像に含まれる前記一方のプロジェクターの駆動条件を示す情報に基づいて、自身の駆動条件を変更することを特徴とするプロジェクションシステム。
【請求項８】
互いに隣り合った領域に画像表示を行う一対のプロジェクターを備え、
一方のプロジェクターは、自身の運転モードを示す情報を含む情報伝達画像を表示し、
前記運転モードは、目的とする画質の画像表示となるように、他方のプロジェクターが備える光学ユニットの駆動条件または画像データに対する補正条件を設定した複数のモードのうちの少なくともひとつであり、
前記情報伝達画像は、赤外光を用いて形成されており、
前記他方のプロジェクターは、前記情報伝達画像を撮像可能な撮像手段を有すると共に、撮像した前記情報伝達画像に含まれる前記一方のプロジェクターの運転モードを示す情報に基づいて、自身の運転モードを変更することを特徴とするプロジェクションシステム。
【請求項９】
一対のプロジェクターを有するプロジェクションシステムの制御方法であって、
一方のプロジェクターが、自身の駆動条件を示す情報を含む情報伝達画像を表示する工程と、
他方のプロジェクターが有する撮像手段により、前記一方のプロジェクターが表示する前記情報伝達画像を撮像する工程と、
前記情報伝達画像に含まれる前記一方のプロジェクターの駆動条件を示す情報に基づいて、前記他方のプロジェクターの駆動条件を変更する工程と、を有し、
前記駆動条件は、前記他方のプロジェクターが投写する投写画像の色合い、コントラスト、明るさ、または、画像処理方法のうちの少なくともひとつであり、
前記情報伝達画像は、赤外光を用いて形成されていることを特徴とするプロジェクションシステムの制御方法。
【請求項１０】
一対のプロジェクターを有するプロジェクションシステムの制御方法であって、
一方のプロジェクターが、自身の運転モードを示す情報を含む情報伝達画像を表示する工程と、
他方のプロジェクターが有する撮像手段により、前記一方のプロジェクターが表示する前記情報伝達画像を撮像する工程と、
前記情報伝達画像に含まれる前記一方のプロジェクターの運転モードを示す情報に基づいて、前記他方のプロジェクターの運転モードを変更する工程と、を有し、
前記運転モードは、目的とする画質の画像表示となるように、前記他方のプロジェクターが備える光学ユニットの駆動条件または画像データに対する補正条件を設定した複数のモードのうちの少なくともひとつであり、
前記情報伝達画像は、赤外光を用いて形成されていることを特徴とするプロジェクションシステムの制御方法。
【発明の詳細な説明】
【技術分野】
【０００１】
本発明は、プロジェクター、プロジェクションシステム、プロジェクションシステムの制御方法に関するものである。
【背景技術】
【０００２】
近年、展示会や学会、会議等のプレゼンテーションに、あるいはホームシアター等にプロジェクターが用いられている。プロジェクターを用いると、ディスプレイなどの直視型表示装置よりも大画面表示が容易であるため、より多人数に対して同じ画像を見せることが可能であり利便性が高い。
【０００３】
このようなプロジェクターを複数台同時に用いると、表示画像を並べて、あるいは重ねて表示することが可能である。このような使用方法によれば、例えばパノラマ写真のような横長の画像を複数に分割し、複数台のプロジェクターを用いて並べて表示することによって、より大きく高解像度の投写画像が得られる。または、２台のプロジェクターを用いて、複数の表やグラフを同時に表示させることで、画面切り替えなく複数のデータを参照しながらのプレゼンテーションが可能となる。
【０００４】
しかし、このように複数台のプロジェクターを同時に用いる際には、良質の画像表示を行うために新たな工夫が必要となる。例えば、複数の画像をつなぎ合わせてパノラマ写真を表示する際には、画像のつなぎ目が観察者に認識されないように、隣接する画像同士の位置合わせや色合いを調節する必要が生じる。
【０００５】
そこで、複数台のプロジェクターを同時に用いる際に、良好な表示を得るための工夫が提案されている（例えば、特許文献１，２参照）。
【０００６】
特許文献１では、複数台のプロジェクターを用いて表示画像の周縁部を重ねながら画像を連結する際に、境界が認識されない画像を容易に表示する構成が提案されている。具体的には、各プロジェクターは、画像の境界を良好に合わせるため専用の画像、および用いるプロジェクターの台数や配置を示す情報を表示し、且つ、隣接するプロジェクターから表示された画像および情報を撮像することで、各プロジェクターが表示する画像の周縁部のうち、どの辺において画像が重なっているかを判断させ、重なり部分の輝度を調節することにより、良好な画像表示を行っている。
【０００７】
また、特許文献２では、複数台のプロジェクターを一括制御する制御装置が、各プロジェクターから投写される画像の輝度や色度を制御することで、複数画像を連結する際に画像の境界部に画像間の色合いの違いによる境界が認識されないようにし、良好な画像表示を行う構成が提案されている。
【先行技術文献】
【特許文献】
【０００８】
【特許文献１】特開２００６−２２９４００号公報
【特許文献２】特開２００８−１５１８３８号公報
【発明の概要】
【発明が解決しようとする課題】
【０００９】
ところで、プロジェクターには、表示する画像や使用状況に応じて、使用者に適切な画像表示をさせるべく、予め複数の運転モードが設定されていることがある。ここでいう「運転モード」とは、目的とする画質の画像表示を行うために、予めプロジェクターが搭載する画像形成装置やランプなどの駆動条件や画像データの補正条件が設定されているものである。
【００１０】
例えば、良好な画像で映画を投影するのに適した「シネマモード」では、落ち着きのある色合いや深い黒色の表示が可能となるように、表示画像の色合い、コントラスト、明るさなどが映画の投影に適した条件となるように、上述の駆動条件や補正条件が設定されている。また、表やグラフなどのデータ表示を行うのに適した「データモード」では、文字や線を見やすくするために、コントラストを重視した条件に設定されている。
【００１１】
このような「運転モード」が予め設定されていることにより、使用者は容易に好適な画像表示が可能となっている。
【００１２】
しかしながら、上述のように、複数台のプロジェクターを用いて画像表示を行う場合には、各プロジェクターの運転モードが揃っていないと、各投写画像の色合いなどに統一感が無くなり、全体として良好な画像表示ができなくなる。
【００１３】
例えば、近年の技術開発によりプロジェクターが小型化し持ち運びが容易となっているため、例えば、それぞれのプロジェクターが別の場所で異なる運転モードで用いられ、その後に持ち寄られた場合などに、各プロジェクターの始動時の運転モードが異なっていることが起こりうる。
【００１４】
このような状況において、複数のプロジェクターの運転モードを変更する場合、個別に設定変更を行うとすると、設置に手間がかかる。また、複数のプロジェクター間で双方向通信させ、相互に運転モードを反映させることとすると、有線接続の場合には、配線を接続する作業が必要となり、無線接続の場合には、対応するプロジェクターの設定やセキュリティー設定が必要となるため、設置が煩雑となる。
【００１５】
本発明はこのような事情に鑑みてなされたものであって、複数台のプロジェクターを用いて画像表示を行う場合において、各プロジェクターの運転モードの統一制御を容易とし、使い勝手を良好にすることが可能なプロジェクターを提供することを目的とする。また、このようなプロジェクターを複数台備えるプロジェクションシステム、および該プロジェクションシステムにおける各プロジェクターの駆動条件の制御方法を提供することをあわせて目的とする。
【課題を解決するための手段】
【００１６】
上記の課題を解決するため、本発明のプロジェクターは、画像を投写するプロジェクターであって、他のプロジェクターの投写画像の一部であり、前記他のプロジェクターの駆動条件を示す情報を含む情報伝達画像を撮像する撮像手段と、前記情報伝達画像に含まれる前記駆動条件を示す情報に基づいて、当該プロジェクターの駆動条件を変更する制御手段と、を備え、前記駆動条件は、前記他のプロジェクターが投写する投写画像の色合い、コントラスト、明るさ、または、画像処理方法のうちの少なくともひとつであり、前記情報伝達画像は、赤外光を用いて形成されていることを特徴とする。
上記の課題を解決するため、本発明のプロジェクターは、画像を投写するプロジェクターであって、他のプロジェクターの投写画像の一部であり、前記他のプロジェクターの運転モードを示す情報を含む情報伝達画像を撮像する撮像手段と、前記情報伝達画像に含まれる前記運転モードを示す情報に基づいて、当該プロジェクターの運転モードを変更する制御手段と、を備え、前記運転モードは、目的とする画質の画像表示となるように、前記他のプロジェクターが備える光学ユニットの駆動条件または画像データに対する補正条件を設定した複数のモードのうちの少なくともひとつであり、前記情報伝達画像は、赤外光を用いて形成されていることを特徴とする。
上記の課題を解決するため、本発明のプロジェクターは、画像を投写するプロジェクターであって、他のプロジェクターの投写画像の一部であり、該他のプロジェクターの駆動条件情報を含む情報伝達画像を撮像する撮像手段と、前記情報伝達画像に含まれる前記駆動条件情報に基づいて、当該プロジェクターの駆動条件を変更する制御手段と、を備えることを特徴とする。
この構成によれば、有線無線を問わず双方向の通信を行うこと無く、他のプロジェクターの駆動条件を取得し、自身の駆動条件に反映して駆動条件を変更することができる。そのため、複数台のプロジェクターの駆動条件の統一制御を容易とし、使い勝手を良好にすることが可能なプロジェクターとすることができる。
【００１７】
本発明においては、前記制御手段は、当該プロジェクターの駆動条件を前記他のプロジェクターの駆動条件に近づけるように制御することが望ましい。
この構成によれば、同時に使用するプロジェクター同士の駆動条件が近づくため、プロジェクター間で投射画像の画質のずれを低減することができる。
【００１８】
本発明においては、前記他のプロジェクターの情報伝達画像と重ならない位置に、自身の駆動条件を含む情報伝達画像を表示可能であることが望ましい。
この構成によれば、自らも駆動条件を発信することができるため、他のプロジェクターの駆動条件に自らを合わせるだけでなく、自らを基準として他のプロジェクターが駆動条件を合わせるような駆動条件の統一制御が可能となる。
【００１９】
本発明においては、前記情報伝達画像は、赤外光を用いて形成されていることが望ましい。
この構成によれば、本来投写したい画像と重ねて情報伝達画像を表示したとしても、観察者には情報伝達画像が視認されないため、画像を損ねることなく情報伝達画像を用いた駆動条件の変更を行うことができる。
【００２０】
本発明においては、前記情報伝達画像は、前記駆動条件情報がコード化された画像データを用いて形成されていることが望ましい。
この構成によれば、駆動条件情報をコード化することでデータ量を低減することができるため、多くの情報を伝えることができる。また、データ量を低減させることにより情報伝達画像を小さくすることができるため、例えば、撮像装置による読み取りを確実にするため、情報伝達画像を複数表示するような場合にも、狭い表示領域に複数の情報伝達画像を表示することが可能となる。
【００２１】
また、本発明のプロジェクションシステムは、互いに隣り合った領域に画像表示を行う一対のプロジェクターを備え、一方のプロジェクターは、自身の駆動条件を示す情報を含む情報伝達画像を表示し、前記駆動条件は、前記他のプロジェクターが投写する投写画像の色合い、コントラスト、明るさ、または、画像処理方法のうちの少なくともひとつであり、前記情報伝達画像は、赤外光を用いて形成されており、他方のプロジェクターは、前記情報伝達画像を撮像可能な撮像手段を有すると共に、撮像した前記情報伝達画像に含まれる前記一方のプロジェクターの駆動条件を示す情報に基づいて、自身の駆動条件を変更することを特徴とする。
また、本発明のプロジェクションシステムは、互いに隣り合った領域に画像表示を行う一対のプロジェクターを備え、一方のプロジェクターは、自身の運転モードを示す情報を含む情報伝達画像を表示し、前記運転モードは、目的とする画質の画像表示となるように、前記他のプロジェクターが備える光学ユニットの駆動条件または画像データに対する補正条件を設定した複数のモードのうちの少なくともひとつであり、前記情報伝達画像は、赤外光を用いて形成されており、他方のプロジェクターは、前記情報伝達画像を撮像可能な撮像手段を有すると共に、撮像した前記情報伝達画像に含まれる前記一方のプロジェクターの運転モードを示す情報に基づいて、自身の運転モードを変更することを特徴とする。
また、本発明のプロジェクションシステムは、互いに隣り合った領域に画像表示を行う一対のプロジェクターを備え、一方のプロジェクターは、自身の駆動条件情報を含む情報伝達画像を表示し、他方のプロジェクターは、前記情報伝達画像を撮像可能な撮像手段を有すると共に、撮像した前記情報伝達画像に含まれる前記一方のプロジェクターの駆動条件情報に基づいて、自身の駆動条件を変更することを特徴とする。
この構成によれば、情報伝達画像を介して駆動情報を伝達することにより、有線無線を問わず双方向通信を用いずに、一方のプロジェクターの駆動条件に他方のプロジェクターの駆動条件を追従させることができる。そのため、各プロジェクターの駆動条件の統一制御を容易とし、使い勝手を良好にすることが可能なプロジェクションシステムとすることができる。
【００２２】
本発明においては、前記一対のプロジェクターはいずれも、前記情報伝達画像を表示し、且つ前記撮像手段を有していることが望ましい。
この構成によれば、一対のプロジェクターが互いに相手の駆動条件を参照して自身の駆動条件を変更することができるため、駆動条件の基準となるプロジェクターの選択肢を増やし、自由度を高めることができる。
【００２３】
本発明においては、前記他方のプロジェクターは、前記一方のプロジェクターの駆動条件情報に基づいて、自身の駆動条件を前記一方のプロジェクターの駆動条件に近づけるように制御することが望ましい。
この構成によれば、一方のプロジェクターの駆動条件を基準として、容易に一対のプロジェクターの駆動条件を近づけ、両プロジェクターが表示する画質の違いを低減させることができる。
【００２４】
本発明においては、前記一対のプロジェクターは、各々が有する前記撮像手段によって撮像した前記情報伝達画像に含まれる相手のプロジェクターの駆動条件情報に基づいて、互いに相手の駆動条件に近づくように自身の駆動条件を変更することが望ましい。
この構成によれば、互いに相手のプロジェクターの駆動条件とは異なる新たな駆動条件を基準として、容易に一対のプロジェクターの駆動条件を近づけ、両プロジェクターが表示する画質の違いを低減させることができる。そのため、例えば、両プロジェクターの性能が異なるため、基準となるプロジェクターの駆動条件に、他のプロジェクターの駆動条件を設定出来ないような場合、双方が設定可能な新たな駆動条件を設定して、各プロジェクターの駆動条件を統一することができる。
【００２５】
また、本発明のプロジェクションシステムの制御方法は、一対のプロジェクターを有するプロジェクションシステムの制御方法であって、一方のプロジェクターが、自身の駆動条件を示す情報を含む情報伝達画像を表示する工程と、他方のプロジェクターが有する撮像手段により、前記一方のプロジェクターが表示する前記情報伝達画像を撮像する工程と、前記情報伝達画像に含まれる前記一方のプロジェクターの駆動条件を示す情報に基づいて、前記他方のプロジェクターの駆動条件を変更する工程と、を有し、前記駆動条件は、前記他のプロジェクターが投写する投写画像の色合い、コントラスト、明るさ、または、画像処理方法のうちの少なくともひとつであり、前記情報伝達画像は、赤外光を用いて形成されていることを特徴とする。
また、本発明のプロジェクションシステムの制御方法は、一対のプロジェクターを有するプロジェクションシステムの制御方法であって、一方のプロジェクターが、自身の運転モードを示す情報を含む情報伝達画像を表示する工程と、他方のプロジェクターが有する撮像手段により、前記一方のプロジェクターが表示する前記情報伝達画像を撮像する工程と、前記情報伝達画像に含まれる前記一方のプロジェクターの運転モードを示す情報に基づいて、前記他方のプロジェクターの運転モードを変更する工程と、を有し、前記運転モードは、目的とする画質の画像表示となるように、前記他のプロジェクターが備える光学ユニットの駆動条件または画像データに対する補正条件を設定した複数のモードのうちの少なくともひとつであり、前記情報伝達画像は、赤外光を用いて形成されていることを特徴とする。
また、本発明のプロジェクションシステムの制御方法は、一対のプロジェクターを有するプロジェクションシステムの制御方法であって、一方のプロジェクターが、自身の駆動条件情報を含む情報伝達画像を表示する工程と、他方のプロジェクターが有する撮像手段により、前記一方のプロジェクターが表示する前記情報伝達画像を撮像する工程と、前記情報伝達画像に含まれる前記一方のプロジェクターの駆動条件情報に基づいて、前記他方のプロジェクターの駆動条件を変更する工程と、を有することを特徴とする。
この方法によれば、プロジェクションシステムが有する各プロジェクターの駆動条件の統一制御が容易となる。
【００２６】
また、本発明のプロジェクションシステムの他の制御方法は、一対のプロジェクターを有するプロジェクションシステムの制御方法であって、前記一対のプロジェクターがそれぞれ、駆動信号に従って制御される自身の駆動条件の情報を含む情報伝達画像を表示する工程と、前記一対のプロジェクターがそれぞれ有する撮像手段により、相手のプロジェクターが表示する前記情報伝達画像を撮像する工程と、前記情報伝達画像に含まれる前記相手のプロジェクターの駆動条件の情報に基づいて、互いに駆動信号に従って制御される相手の駆動条件に近づくように、駆動信号に従って制御される自身の駆動条件を変更する工程と、を有し、前記情報伝達画像は、赤外光を用いて形成されていることを特徴とする。
また、本発明のプロジェクションシステムの他の制御方法は、一対のプロジェクターを有するプロジェクションシステムの制御方法であって、前記一対のプロジェクターがそれぞれ、駆動信号に従って制御される自身の駆動条件の情報を含む情報伝達画像を表示する工程と、前記一対のプロジェクターがそれぞれ有する撮像手段により、相手のプロジェクターが表示する前記情報伝達画像を撮像する工程と、前記情報伝達画像に含まれる前記相手のプロジェクターの駆動条件の情報に基づいて、互いに駆動信号に従って制御される相手の駆動条件に近づくように、駆動信号に従って制御される自身の駆動条件を変更する工程と、を有し、前記情報伝達画像は、前記駆動条件の情報がコード化された画像データを用いて形成されていることを特徴とする。
また、本発明のプロジェクションシステムの他の制御方法は、一対のプロジェクターを有するプロジェクションシステムの制御方法であって、前記一対のプロジェクターがそれぞれ、自身の駆動条件情報を含む情報伝達画像を表示する工程と、前記一対のプロジェクターがそれぞれ有する撮像手段により、相手のプロジェクターが表示する前記情報伝達画像を撮像する工程と、前記情報伝達画像に含まれる前記相手のプロジェクターの駆動条件情報に基づいて、互いに相手の駆動条件に近づくように自身の駆動条件を変更する工程と、を有することを特徴とする。
この方法によれば、相手のプロジェクターの駆動条件に自身の駆動条件を一致させることができなくても、互いに相手の駆動条件に近づくように駆動条件を制御するため、プロジェクションシステムが有する各プロジェクターの駆動条件の統一制御が容易となる。
【図面の簡単な説明】
【００２７】
【図１】本発明のプロジェクターおよびプロジェクションシステムを示す模式図である。
【図２】本発明のプロジェクターの要部を示すブロック図である。
【図３】本発明のプロジェクションシステムの制御方法を示すフローチャートである。
【図４】本発明のプロジェクションシステムの制御方法を示すフローチャートである。
【図５】本発明のプロジェクションシステムの制御方法を示すフローチャートである。
【図６】本発明のプロジェクションシステムの制御方法を示すフローチャートである。
【発明を実施するための形態】
【００２８】
以下、図１〜図６を参照しながら、本発明の実施形態に係るプロジェクター、プロジェクションシステム、およびプロジェクションシステムの制御方法について説明する。なお、以下の全ての図面においては、図面を見やすくするため、各構成要素の寸法や比率などは適宜異ならせてある。
【００２９】
図１は、本実施形態に用いられるプロジェクターＰＪおよびプロジェクションシステムＰＳを示す模式図である。図に示すように、本実施形態のプロジェクションシステムＰＳは、２台のプロジェクターＰＪ１，ＰＪ２を有している。
【００３０】
プロジェクターＰＪ１は、投写領域１０Ａよりも一回り大きく投写領域１０Ａを内部に含む撮像領域２０Ａを撮像可能な撮像装置（撮像手段）２を有している。プロジェクターＰＪ２も同様に、投写領域１０Ｂよりも一回り大きく投写領域１０Ｂを内部に含む撮像領域２０Ｂを撮像可能な撮像装置（撮像手段）２を有している。
【００３１】
ここでは、プロジェクターＰＪ１は天吊り状態で据え置き設置され、プロジェクターＰＪ２は持ち運び可能な状態で設置台Ｔに設置されて用いられることとして図示している。ここに示した設置の状態は一例であり、両プロジェクターＰＪが据え置き設置されていても良く、また両プロジェクターＰＪが持ち運び可能な状態とされていても構わない。
【００３２】
各プロジェクターＰＪは、投写領域１０の周縁部にそれぞれ情報伝達画像１１を表示する。情報伝達画像は、各プロジェクターＰＪの現在の駆動条件や運転モードを伝達情報として含む画像である。本明細書では、これら駆動条件や運転モードの情報をあわせて、駆動条件情報と称することがある。また、情報伝達画像は、互いに他のプロジェクターの情報伝達画像と重ならない位置に表示されているため、互いに干渉することがない。
【００３３】
ここで「駆動条件」とは、プロジェクターＰＪが搭載する画像形成装置やランプなどを含む光学ユニットの駆動条件や、画像データの補正条件などを併せて指している。駆動条件を変更すると、プロジェクターＰＪの投写画像の色合い、コントラスト、明るさ（輝度）、画像処理方法（動画や静止画などの入力画像の種類に応じた画像の伸張処理や、色目の補正処理など）が変化する。
【００３４】
また、「運転モード」とは、予め目的とする画質の画像表示となるように、光学ユニットに含まれる各構成の駆動条件や、画像データに対する補正条件などを設定し、設定した各条件を纏めて、目的する画質に対応させたものであり、設定された駆動条件や補正条件の集合である。
【００３５】
情報伝達画像１１には、必要に応じて様々な情報を載せることができ、例えばプロジェクターＰＪの性能（設定可能な駆動条件の範囲）に関する性能情報を含むものとすることができる。
【００３６】
情報伝達画像１１は、プロジェクターＰＪの駆動条件を変更する過程において、適宜なタイミングで投写されるものであり、撮像装置２で撮像されるのに十分な時間だけ表示された後、自動的に消えるようになっている。または、撮像装置２がＣＣＤやＣＭＯＳ等の撮像素子である場合、情報伝達画像１１を、観察者は認識できないが撮像装置２では検知できる赤外光を用いて形成することで、プロジェクターＰＪの運転中に、常に表示していることとしても良い。
【００３７】
この、情報伝達画像１１は、他方のプロジェクターの撮像装置２による撮像領域２０内に配置されるならば、投写領域１０内の何処に表示されていても良い。図では、２つの投写領域１０Ａ，１０Ｂにおいてそれぞれ、隣り合う投写領域と対向する辺に沿って設けられているが、必要に応じて他の箇所に表示することとしても良い。また、投写領域１０のうち一つの辺にのみ沿って表示しているが、左右の両辺に沿って表示することとしても良い。
【００３８】
このような情報伝達画像としては、少ない表示面積で多くの情報を表示可能であるものが好ましく、例えば、マトリックス型の２次元コードであるＱＲコード（登録商標）や、他のマトリクス型２次元コード、バーコードを積み上げた形のスタック型の２次元コード、２次元コードを時系列に変化させる３次元コードを用いることができる。
【００３９】
このような構成の本実施形態のプロジェクションシステムＰＳでは、プロジェクターＰＪ１が投写する、プロジェクターＰＪ１の現在の駆動条件に関する情報が含まれた情報伝達画像１１Ａを、プロジェクターＰＪ２が撮像装置２によって撮像することにより、プロジェクターＰＪ２は、情報伝達画像１１Ａに含まれる駆動条件に関する情報に基づいて、プロジェクターＰＪ２の駆動条件をプロジェクターＰＪ１の駆動条件に近づけるように変更させることが可能となっている。
【００４０】
または反対に、プロジェクターＰＪ２の現在の駆動条件に関する情報が含まれた情報伝達画像１１ＢをプロジェクターＰＪ１が撮像することにより、プロジェクターＰＪ１は、情報伝達画像１１Ｂに含まれる駆動条件に関する情報に基づいて、プロジェクターＰＪ１の駆動条件をプロジェクターＰＪ２の駆動条件に近づけるように変更させることが可能となっている。
【００４１】
更には、プロジェクターＰＪ１，ＰＪ２が、互いに相手の情報伝達画像を撮像することにより、相手の駆動条件を取得し、互いに相手の駆動条件に近づくように自らの駆動条件を変更することが可能となっている。以下、詳細に説明する。
【００４２】
図２は、プロジェクターＰＪの要部を示すブロック図である。図に示すように、プロジェクターＰＪは、撮像装置２と、画像データに基づいて光学ユニットの駆動信号を生成する制御部（制御手段）３と、運転モードを記憶する記憶部４と、駆動信号に基づいて画像を投写する光学ユニット５および投写レンズ６と、プロジェクターＰＪの使用者がプロジェクターＰＪの駆動条件を指定するための入力手段７と、を有している。以下、必要に応じて図１，２で示した符号を用いながら説明を行う。
【００４３】
撮像装置２は、ＣＣＤあるいはＣＭＯＳ等の撮像素子を備えたものであり、撮像領域を撮像することができる。撮像装置２は、運転中は常に撮像領域を撮像し続けることとしても良く、必要時に起動して撮像することとしても良い。撮像装置２で撮像された画像は、制御部３に出力される。
【００４４】
制御部３は、撮像情報取得部３１と、駆動条件取得部３２と、メモリー３３と、比較部３４と、駆動条件決定部３５と、画像データ取得部３６と、情報伝達画像作成部３７と、画像信号作成部３８と、表示制御部３９と、を有している。各部の説明については後に詳述する。
【００４５】
記憶部４は、プロジェクターＰＪの運転モードを記憶している。このような運転モードが予め設定されていることにより、使用者は必要に応じて所望の運転モードを選択し、容易に好適な画像表示が可能となっている。
【００４６】
光学ユニット５は、メタルハライドランプ、ハロゲンランプ、高圧水銀ランプ等の気体発光光源で構成される光源ランプ５１と、インテグレータ照明光学系、色分離光学系、リレー光学系などで構成される光学系５２と、液晶ライトバルブやＤＭＤ(Digital Micro mirror Device)によって構成する画像形成装置５３と、を備えている。
【００４７】
なお、光学系５２の構成は、光変調素子の種類に応じて適宜変更されるものであり、前述した構成に限定されない。そして、これら光学系５２の構成は、通常のプロジェクターで用いられるものであって一般的であるため、ここでの詳細な説明を省略する。
【００４８】
投写レンズ６は、光学ユニット５から射出された光学像を投写するものであり、投写領域の投写位置を調整するための図示しないレンズシフト機構の他、よく知られたオートフォーカス機構およびオートズーム機構などが、必要に応じて設けられる。
【００４９】
入力手段７は、プロジェクターＰＪの使用者がプロジェクターＰＪの駆動条件を指定するために用いられるものであり、プロジェクターＰＪの本体に付設された入力ボタンや、プロジェクターＰＪと別体のリモコンスイッチなどを例示することができる。
【００５０】
次に、制御部３の各構成について説明する。制御部３は、撮像装置２が撮像する情報伝達画像に含まれる駆動条件や、記憶部４に記憶された運転モードなどを参照して、プロジェクターＰＪの駆動条件を変更する処理を行う「駆動条件変更処理」と、プロジェクターＰＪの現在の駆動条件を表示する「駆動条件表示処理」と、の大きく２つの処理からなる駆動条件調整処理を行っている。
【００５１】
「駆動条件変更処理」は、主に撮像情報取得部３１、駆動条件取得部３２、比較部３４、駆動条件決定部３５が有する機能によって行われている。また、「駆動条件表示処理」は、主に情報伝達画像作成部３７、画像信号作成部３８、表示制御部３９が有する機能によって行われている。
【００５２】
まず、撮像装置２が撮像する情報伝達画像は、撮像情報取得部３１に入力される。撮像情報取得部３１は、撮像装置２が撮像する情報伝達画像を解析し、情報伝達画像に含まれる駆動条件を取得して比較部３４に出力する機能を有している。
【００５３】
駆動条件取得部３２は、入力手段７から入力される駆動条件を取得し、メモリー３３に一時保存する機能を有している。入力される駆動条件の指示が、記憶部４に予め記憶された複数の運転モードのいずれかを指定するものであれば、駆動条件取得部３２は、記憶部４から、運転モードに含まれる複数の駆動条件を取り出し、メモリー３３に出力する。また、入力される駆動条件の指示が、光学ユニット５の各構成の駆動条件を個別に指定するものであれば、指定された駆動条件をメモリー３３に出力する。
【００５４】
比較部３４は、撮像情報取得部３１から得られる情報伝達画像に含まれる駆動条件（第１の駆動条件）と、メモリー３３に一時保存された駆動条件（第２の駆動条件）と、を比較し、両駆動条件が一致しているかどうかを判定して、両駆動条件および判定結果を駆動条件決定部３５に出力する。また、撮像装置２からの入力が無い場合には、当然現在の駆動条件である第２の駆動条件がメモリー３３に保存されているため、第２の駆動条件を駆動条件決定部３５に出力する。
【００５５】
駆動条件決定部３５は、比較部３４から得られる駆動条件および判定結果に基づいて、プロジェクターＰＪの駆動条件を決定し、画像信号作成部３８および表示制御部３９に出力する。
【００５６】
ここで、第１の駆動条件と第２の駆動条件とが一致している場合、または撮像装置２からの入力がなく第２の駆動条件のみが得られる場合には、駆動条件決定部３５は第２の駆動条件を維持する旨の指示を出力する。また、両駆動条件が異なっていれば、駆動条件決定部３５は、現在の駆動条件である第２の駆動条件から、例えば、第１の駆動条件に変更するような指示を出力する。
【００５７】
一方、例えばＰＣやＡＶ機器から供給されるコンテンツ画像の画像データは、画像データ取得部３６に入力される。画像データ取得部３６は、取得する画像データを画像信号作成部３８に出力する。
【００５８】
情報伝達画像作成部３７は、不図示の指示経路によって情報伝達画像の作成指示が入力されると、メモリー３３に一時保存されている第２の駆動条件を取得し、情報伝達画像の画像データを作成する。作成された画像データは、画像信号作成部３８に出力される。
【００５９】
画像信号作成部３８は、駆動条件決定部３５から取得する駆動条件と、画像データ取得部３６および情報伝達画像作成部３７から取得する画像データと、に基づいて、投写画像のもととなる画像信号を作成する。すなわち、駆動条件決定部３５において決定された駆動条件に基づいて、例えば画像データの色合いを補正した補正画像データを作成し、該補正画像データによる投写画像を表示するための画像信号を作成する。
【００６０】
表示制御部３９は、駆動条件決定部３５から得られる駆動条件と、画像信号作成部３８から得られる画像信号と、に基づいて、画像データに基づいた光学像形成用の駆動信号を生成し、光学ユニット５に出力する。光学ユニット５を構成する光源ランプ５１、光学系５２と、画像形成装置５３などは、入力する駆動信号に基づいて駆動し、設定された運転モードまたは駆動条件で画像を表示する。
本実施形態のプロジェクターＰＪは、以上のような構成となっている。
【００６１】
次に、上述のプロジェクションシステムＰＳを用いて表示を行う際、プロジェクションシステムにおいて行われる処理について説明する。以下、プロジェクションシステムを構成するプロジェクターの性能が同じ場合と、性能が異なる場合と、に分けて説明を行う。説明においては、必要に応じて、図１，２で示した符号を用いることとする。
【００６２】
［プロジェクターの性能が同じ場合］
図３は、プロジェクターの性能が同じ場合の、プロジェクションシステムの駆動条件の制御方法を説明するフローチャートである。
【００６３】
まず、ユーザーが駆動条件の基準となるプロジェクター（例えば、プロジェクターＰＪ１）を選択し、プロジェクターＰＪ１に情報伝達画像１１Ａを表示するように指示を入力する。すると、プロジェクターＰＪ１は、投写領域内に、情報伝達画像１１Ａを表示する（ステップＳ１１）。
【００６４】
次いで、ユーザーがプロジェクターＰＪ２の撮像装置２を機能させるように指示を入力し、プロジェクターＰＪ２の駆動条件調整処理を開始する。プロジェクターＰＪ２が有する撮像装置２の撮像領域２０内に、プロジェクターＰＪ１の情報伝達画像１１Ａが表示されているならば、プロジェクターＰＪ２はプロジェクターＰＪ１の駆動条件情報を取得することとなる（ステップＳ１２）。
【００６５】
プロジェクターＰＪ２の制御部３は、上述のようにプロジェクターＰＪ１，ＰＪ２の駆動条件同士を比較し、プロジェクターＰＪ２の駆動条件を変更するかどうかを判定する（ステップＳ１３）。駆動条件が同じであるならば、駆動条件の設定変更を行うことなく駆動条件調整処理を終了する。
【００６６】
駆動条件が異なるならば、上述のように、プロジェクターＰＪ２は、自身の駆動条件をプロジェクターＰＪ１の駆動条件に変更する（ステップＳ１４）。
以上のようにして、プロジェクションシステムＰＳの駆動条件の調整を行う。
【００６７】
このようなプロジェクションシステムＰＳでは、例えば、プロジェクションシステムＰＳの使用開始時に、プロジェクターＰＪ１を先に起動させて運転モードを設定し、次いでプロジェクターＰＪ２を起動させる。このような場合に、プロジェクターＰＪ１は情報伝達画像を表示し、プロジェクターＰＪ２は該画像を撮像して駆動条件をプロジェクターＰＪ１に追従させることで、容易にプロジェクションシステムＰＳの駆動条件を揃えることができる。
【００６８】
また、プロジェクションシステムＰＳ使用中に駆動条件を変更する場合、一方のプロジェクター（例えば、プロジェクターＰＪ１）の駆動条件を変更して情報伝達画像を表示させ、プロジェクターＰＪ２は該画像を撮像して駆動条件をプロジェクターＰＪ１に追従させることで、容易にプロジェクションシステムＰＳの駆動条件を揃えることができる。
【００６９】
［プロジェクターの性能が異なる場合］
プロジェクションシステムＰＳを構成するプロジェクターの性能が異なる場合には、ユーザーが基準として指定するプロジェクターの駆動条件に、もう一方のプロジェクターの駆動条件を設定できないという状況が生じ得る。このような場合には、駆動条件の制御方法として、例えば次の２種の制御方法を示すことができる。
【００７０】
まず共通して、プロジェクションシステムを構成する各プロジェクターは、互いに情報伝達画像を表示できると共に情報伝達画像を撮像して駆動情報を得ることができる構成となっている。また、各情報伝達画像には、各プロジェクターがどのようなモードで駆動しているかという運転モードに関する情報と、各運転モードにおいて設定される各種の駆動条件に関する情報と、各プロジェクターの性能（設定可能な駆動条件の範囲）に関する情報と、が含まれている。
【００７１】
以下の説明では、プロジェクターＰＪ２の方がプロジェクターＰＪ１よりも相対的に性能が劣っており、設定可能な駆動条件の範囲が狭いこととして説明する。
【００７２】
［第１の制御方法］
図４は、プロジェクターの性能が異なる場合の、第１の制御方法を説明するフロ−チャートである。
【００７３】
第１の制御方法では、調整の過程で基準となるプロジェクターを、性能が劣るプロジェクターに変更し、性能が劣るプロジェクターから新たに駆動条件の情報を示すことにより、性能が高いプロジェクターの駆動条件を性能が劣るプロジェクターの駆動条件に揃えるという調整を含んでいる。
【００７４】
まず、図３で示した制御方法と同じく、ユーザーが駆動条件の基準となるプロジェクター（例えば、プロジェクターＰＪ１）を選択し、プロジェクターＰＪ１が表示する情報伝達画像から得た駆動条件の情報を元に、プロジェクターＰＪ２は自身の駆動条件を変更するかどうかを判定する（ステップＳ２１からＳ２３）。
【００７５】
駆動条件が同じであるならば、駆動条件の設定変更を行うことなく駆動条件調整処理を終了し、駆動条件が異なるならば、次にプロジェクターＰＪ２は、プロジェクターＰＪ１の駆動条件に設定可能かどうかを判断する（ステップＳ２４）。
【００７６】
このような判断は、例えば、駆動条件決定部３５において駆動条件を決定する際に、自身の性能、すなわち自身の駆動条件として設定可能な範囲を参照し、プロジェクターＰＪ１の駆動条件が当該範囲に入っているかどうかを判断することによって行うことができる。
【００７７】
プロジェクターＰＪ２がプロジェクターＰＪ１の駆動条件に設定可能であるならば、例えば上述のように、プロジェクターＰＪ２は、自身の駆動条件をプロジェクターＰＪ１の駆動条件に変更する（ステップＳ２５）。
【００７８】
対して、プロジェクターＰＪ１と比べプロジェクターＰＪ２の性能が劣るために、プロジェクターＰＪ２がプロジェクターＰＪ１の駆動条件に設定することが出来ない場合には、プロジェクターＰＪ２は、プロジェクターＰＪ１の現在の「運転モード」に基づいて、対応する「運転モード」に駆動条件を変更する（ステップＳ２６）。
【００７９】
例えば、プロジェクターＰＪ１が、データ表示に適した「データモード」の運転モードで駆動している場合、プロジェクターＰＪ１のデータモードでは、白表示で５０００ｌｍの照度が得られるような駆動条件を設定しているのに対し、プロジェクターＰＪ２の性能として白表示で３５００ｌｍの照度が得られるような設定しか出来ないとする。このような場合、プロジェクターＰＪ２は、自身の「データモード」に駆動条件を変更する。この時点では、両プロジェクターは、互いに「データモード」での駆動を行っているが、機種性能の違いにより、同じ画質の投写画像とならない。
【００８０】
そこで、次にプロジェクターＰＪ２は、プロジェクターＰＪ１の撮像領域内に、「データモード」に変更後の駆動条件の情報を含む情報伝達画像１１Ｂを表示する（ステップＳ２７）。
【００８１】
すなわち、ユーザーが基準として指示したプロジェクターＰＪ１の駆動条件には、プロジェクターＰＪ２を設定することができないため、プロジェクターＰＪ２は、指定された駆動条件に類似した駆動条件を、新たに基準とする駆動条件としてプロジェクターＰＪ１に示す。
【００８２】
プロジェクターＰＪ１は、撮像装置２で情報伝達画像１１Ｂを撮像し（ステップＳ２８）、情報伝達画像１１Ｂから得られる駆動条件に基づいて、プロジェクターＰＪ２のデータモードに揃えるように駆動条件を変更する（ステップＳ２９）。
【００８３】
以上のようにして、プロジェクターの性能が異なる場合の、第１の制御方法を用いたプロジェクションシステムの駆動条件の調整を行う。
【００８４】
［第２の制御方法］
図５，６は、プロジェクターの性能が異なる場合の、第２の制御方法を説明するフロ−チャートであり、図５はプロジェクターＰＪ２についてのフローチャート、図６はプロジェクターＰＪ１についてのフローチャートを示している。
【００８５】
第２の制御方法では、第１の制御方法と異なり、各プロジェクターが互いに情報伝達画像を表示し、互いに情報を取得した上で、各プロジェクターにおいてどちらのプロジェクターの駆動条件に合わせて調整するかを判断するという調整を含んでいる。
【００８６】
［プロジェクターＰＪ２の調整］
まず、図４で示した制御方法と同じく、ユーザーは、駆動条件の基準となるプロジェクター（例えば、プロジェクターＰＪ１）を選択する。そして、プロジェクターＰＪ２は、プロジェクターＰＪ１が表示する情報伝達画像から得た駆動条件の情報を元に、駆動条件の調整が必要かどうかを判定する（ステップＳ３１からＳ３３）。
【００８７】
次いで、駆動条件が同じであるならば、駆動条件の設定変更を行うことなく駆動条件調整処理を終了する。駆動条件が異なるならば、プロジェクター同士の性能を比較してプロジェクターの性能の優劣を付け、一方のプロジェクターの駆動条件を、現在基準となっているプロジェクターの駆動条件（ここではプロジェクターＰＪ１の駆動条件）に設定可能か判断する。この判断結果より、プロジェクターＰＪ２は、プロジェクターＰＪ１の駆動条件に設定可能かどうかを判断する（ステップＳ３４）。
【００８８】
判断の結果、プロジェクターＰＪ１の駆動条件に設定可能であるならば、プロジェクターＰＪ２は、自身の駆動条件をプロジェクターＰＪ１の駆動条件に変更する（ステップＳ３５）。
【００８９】
一方で、プロジェクターＰＪ１の駆動条件に設定することが出来ない場合には、プロジェクターＰＪ２は、プロジェクターＰＪ１の現在の「運転モード」に基づいて、対応する「運転モード」に駆動条件を変更する（ステップＳ３６）。
【００９０】
［プロジェクターＰＪ１の調整］
一方、プロジェクターＰＪ１も同様に、プロジェクターＰＪ２が表示する情報伝達画像から得た駆動条件の情報を元に、駆動条件の調整が必要かどうかを判定する（ステップＳ４１からＳ４３）。
【００９１】
次いで、駆動条件が同じであるならば、駆動条件の設定変更を行うことなく駆動条件調整処理を終了する。駆動条件が異なるならば、プロジェクター同士の性能を比較してプロジェクターの性能の優劣を付け、一方のプロジェクターの駆動条件を、現在基準となっているプロジェクターの駆動条件（ここではプロジェクターＰＪ１の駆動条件）に設定可能か判断する。この判断結果より、現在基準となっているプロジェクターＰＪ１は、プロジェクターＰＪ２が、プロジェクターＰＪ１の駆動条件に設定可能かどうかを判断する（ステップＳ４４）。
【００９２】
判断の結果、プロジェクターＰＪ２がプロジェクターＰＪ１の駆動条件に設定可能であるならば、プロジェクターＰＪ１は、自身の駆動条件を維持し、駆動条件調整処理を終了する。
【００９３】
また、プロジェクターＰＪ２が現在基準となっているプロジェクターＰＪ１の駆動条件に設定することが出来ないと判断するならば、プロジェクターＰＪ２が表示する情報伝達画像１１Ｂに含まれる「運転モード」に関する情報から、現在のプロジェクターＰＪ１の「運転モード」に対応する「運転モード」を判断する。そして、当該プロジェクターＰＪ２の運転モードに対応する、プロジェクターＰＪ１が変更すべき駆動条件を算出する（ステップＳ４５）。
【００９４】
そして、プロジェクターＰＪ１は、自身の駆動条件を、新たに算出した駆動条件に変更する（ステップＳ４６）。
【００９５】
以上のようにして、プロジェクターの性能が異なる場合の、第２の制御方法を用いたプロジェクションシステムの駆動条件の調整を行う。
【００９６】
以上のような構成のプロジェクターによれば、複数台のプロジェクターの駆動条件の統一制御を容易とし、使い勝手を良好にすることができる。
【００９７】
また、以上のような構成のプロジェクションシステムによれば、各プロジェクターの駆動条件の統一制御を容易とすることができる。
【００９８】
更に、以上のような構成のプロジェクションシステムの制御方法によれば、プロジェクションシステムの使い勝手を良好にする制御が可能となる。
【００９９】
なお、本実施形態においては、プロジェクターＰＪ１，ＰＪ２のいずれもが、情報伝達画像を表示し、且つ撮像装置２を有する構成として示しているが、プロジェクターの性能が同じ場合の制御においては、基準となるプロジェクターが情報伝達画像を表示し、他方が撮像装置を有する構成であれば、上述の統一制御は可能である。
【０１００】
また、本実施形態においては、まずプロジェクターＰＪ１の駆動条件を基準としてプロジェクターＰＪ２の駆動条件を調整する方法について記載したが、両者の関係は相対的なものであるため、プロジェクターＰＪ２の駆動条件を基準とすることもできる。
【０１０１】
また、本実施形態においては、調整後にはプロジェクターＰＪ１、ＰＪ２の駆動条件が揃うこととして制御方法を説明したが、完全に一致していなくても、互いの駆動条件が近づくように制御されていれば、画質のずれを低減することができる。
【０１０２】
例えば、プロジェクターの性能が異なる場合、基準となるプロジェクターの運転モードに対応する運転モードが、他方のプロジェクターには設定されていない場合も考えられる。このような場合であっても、他方のプロジェクターは、自身に設定されている運転モードの中から、基準となるプロジェクターの投写画像の画質と類似する画質となる運転モードを選択し、駆動条件を変更することで、基準となるプロジェクターの駆動条件に駆動条件を近づけることができる。
【０１０３】
このような場合、基準となるプロジェクターの投写画像の画質と類似する画質とするために、運転モードに含まれる複数の駆動条件のうち、何の駆動条件を重視するのか（例えば「データモード」では輝度を重視、「シネマモード」では色合いを重視、など）基準を設定しておくと、類似した運転モードの選択が容易となる。
【０１０４】
また、本実施形態においては、２台のプロジェクターＰＪを有するプロジェクションシステムについて説明したが、３台以上のプロジェクターを有するプロジェクションシステムとすることも可能である。このような場合には、まず基準となるプロジェクターを設定し、隣り合うプロジェクター間でそれぞれ駆動条件を調整することにより、すべてのプロジェクターに基準となるプロジェクターの駆動条件を反映させ、統一制御を行うことができる。
【０１０５】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【０１０６】
２…撮像装置（撮像手段）、１０，１０Ａ，１０Ｂ…投写領域、１１，１１Ａ，１１Ｂ…情報伝達画像、２０，２０Ａ，２０Ｂ…撮像領域、３４…比較部、３５…駆動条件決定部、ＰＪ，ＰＪ１，ＰＪ２…プロジェクター、ＰＳ…プロジェクションシステム、
【図１】
0006032311.tif 000002
【図２】
0006032311.tif 000003
【図３】
0006032311.tif 000004
【図４】
0006032311.tif 000005
【図５】
0006032311.tif 000006
【図６】
0006032311.tif 000007